(57)【要約】【課題】本発明の目的は、輸送時又は収納時において、嵩張らず、コンパクトに輸送又は保管できるコーンを提供することである。【解決手段】前記課題は、本発明の中空の切頭角錐の第１コーン、及び第１コーンの内側に重ね合わせることのできる中空の切頭角錐の第２コーンを含むコーンセットであって、第１コーンの側面の辺の外面の曲率半径Ｒ１及び第２コーンの側面の辺の外面の曲率半径Ｒ２が、下記式（１）：Ｒ１＝Ｒ２＋ｍ  （１）（式中、ｍは第１コーンの壁の厚さである）で表される前記コーンセットによって解決することができる。【選択図】図５
2019167781.tif 000002
【特許請求の範囲】
【請求項１】
中空の切頭角錐の第１コーン、及び第１コーンの内側に重ね合わせることのできる中空の切頭角錐の第２コーンを含むコーンセットであって、第１コーンの側面の辺の外面の曲率半径Ｒ１及び第２コーンの側面の辺の外面の曲率半径Ｒ２が、下記式（１）：
Ｒ１＝Ｒ２＋ｍ  （１）
（式中、ｍは第１コーンの壁の厚さである）
で表される前記コーンセット。
【請求項２】
前記切頭角錐が、切頭三角錐又は切頭四角錐である、請求項１に記載のコーンセット。
【請求項３】
前記第１コーン及び第２コーンを重ね合わせた場合に、２つのコーンの切頭面が略同一面であり、前記第２コーンの高さが、前記第１コーンの高さの略２倍であり、そして前記第１のコーンの壁の厚さ及び第２のコーンの壁の厚さが略同一である、請求項１又は２に記載のコーンセット。
【請求項４】
前記第２コーンの内側に重ね合わせることができる中空の切頭角錐の第３コーンを、更に含む請求項１に記載のコーンセットであって、
第２コーンの側面の辺の外面の曲率半径Ｒ２及び第３コーンの側面の辺の外面の曲率半径Ｒ３が、下記式（２）：
Ｒ２＝Ｒ３＋ｎ  （２）
（式中、ｎは第２コーンの壁の厚さである）
で表される前記コーンセット。
【請求項５】
前記切頭角錐が、切頭三角錐又は切頭四角錐である、請求項４に記載のコーンセット。
【請求項６】
前記第１コーン、第２コーン及び第３コーンを重ねわせた場合に、３つのコーンの切頭面が略同一面であり、前記第３コーンの高さが第２コーンの高さの略１．５倍であり、第２コーンの高さが、前記第１コーンの高さの略２倍であり、そして前記第１のコーンの壁の厚さ、第２のコーンの壁の厚さ、及び第３コーンの壁の厚さが略同一である、請求項４又は５に記載のコーンセット。
【発明の詳細な説明】
【技術分野】
【０００１】
本発明は、コーンセットに関する。本発明によれば、工場などで製品分類のための表示具として使用するコーンを、輸送時又は収納時において、嵩張らず、コンパクトに輸送又は保管できる。
【背景技術】
【０００２】
工場などで使用されているコーンは、製品の分類のための表示具と使用されることがある（特許文献１及び２）。また、色を付したコーンは、陸上競技、サッカー、フットサル、又はバスケットボールなどのスポーツの練習においてマーカーとして用いられ、俊敏性や判断力を養う練習が行われている。
【先行技術文献】
【特許文献】
【０００３】
【特許文献１】特開２００３−３０６９１２号公報
【特許文献２】特開２０１１−２３７７４５号公報
【特許文献３】特開２０１４−２９０６０号公報
【発明の概要】
【発明が解決しようとする課題】
【０００４】
前記コーンは、輸送時又は収納時において、重ね合わせて輸送又は保管している。コーンを重ね合わせると、高く積み上げることになり、輸送において嵩張り、輸送コストの上昇につながる。また、収納時においても、広い保管場所を必要とすることになる。
従って、本発明の目的は、輸送時又は収納時において、嵩張らず、コンパクトに輸送又は保管できるコーンを提供することである。
【課題を解決するための手段】
【０００５】
本発明者は、輸送時又は収納時において、嵩張らず、コンパクトに輸送又は収納できるコーンについて、鋭意研究した結果、驚くべきことに、角錐状のコーンを作製し、重ね合わせる外側のコーンの辺のＲを、内側のコーンの辺のＲより大きく設定することによって、嵩張らず、コンパクトに輸送又は保管できるコーンセットが得られることを見出した。
本発明は、こうした知見に基づくものである。
従って、本発明は、
［１］中空の切頭角錐の第１コーン、及び第１コーンの内側に重ね合わせることのできる中空の切頭角錐の第２コーンを含むコーンセットであって、第１コーンの側面の辺の外面の曲率半径Ｒ１及び第２コーンの側面の辺の外面の曲率半径Ｒ２が、下記式（１）：Ｒ１＝Ｒ２＋ｍ  （１）（式中、ｍは第１コーンの壁の厚さである）
で表される前記コーンセット、
［２］前記切頭角錐が、切頭三角錐又は切頭四角錐である、［１］に記載のコーンセット、
［３］前記第１コーン及び第２コーンを重ね合わせた場合に、２つのコーンの切頭面が略同一面であり、前記第２コーンの高さが、前記第１コーンの高さの略２倍であり、そして前記第１のコーンの壁の厚さ及び第２のコーンの壁の厚さが略同一である、［１］又は［２］に記載のコーンセット、
［４］前記第２コーンの内側に重ね合わせることができる中空の切頭角錐の第３コーンを、更に含む［１］に記載のコーンセットであって、
第２コーンの側面の辺の外面の曲率半径Ｒ２及び第３コーンの側面の辺の外面の曲率半径Ｒ３が、下記式（２）：Ｒ２＝Ｒ３＋ｎ  （２）（式中、ｎは第２コーンの壁の厚さである）で表される前記コーンセット、
［５］前記切頭角錐が、切頭三角錐又は切頭四角錐である、［４］に記載のコーンセット、及び
［６］前記第１コーン、第２コーン及び第３コーンを重ねわせた場合に、３つのコーンの切頭面が略同一面であり、前記第３コーンの高さが第２コーンの高さの略１．５倍であり、第２コーンの高さが、前記第１コーンの高さの略２倍であり、そして前記第１のコーンの壁の厚さ、第２のコーンの壁の厚さ、及び第３コーンの壁の厚さが略同一である、［４］又は［５］に記載のコーンセット、
に関する。
【発明の効果】
【０００６】
本発明のコーンセットによれば、輸送時又は収納時において、嵩張らず、コンパクトに輸送又は保管できるコーンを提供することができる。
また、本発明のコーンセットは、工場などで製品を分類するための、製品の表示具として使用することができる。更に、大きさの異なるコーンセットとすることにより、表示具として用いた場合、表示されている文字だけでなく、その大きさから分類されている製品を瞬時に見分けることができ、有用である。また、本発明のコーンは、角錐のコーンであり側面が台形状の平面であるため、円錐形のコーンと比較して製品分類などの表示がしやすく、そして見やすくなっている。更に、それぞれのコーンに紐を用いて吊り下げるための孔を設けることにより、吊り下げて用いる表示具とすることができる。更に、前記孔に指を引っ掛けることによって、本発明のコーンを容易に取り扱うことができる。
本発明のコーンセットのコーンは、スポーツの練習用マーカーとして用いることもできる。
【図面の簡単な説明】
【０００７】
【図１】本発明のコーンセットのそれぞれのコーンを示した斜視図である。
【図２】本発明の２つのコーンを含むコーンセットの斜視図である。
【図３】本発明の２つのコーンを含むコーンセットの上面図である
【図４】２つのコーンを組み合わせたコーンセットの内側のコーンと外側のコーンのそれぞれのＲ２とＲ１との関係を示した図である。
【図５】本発明の３つのコーンを含むコーンセットの斜視図である。
【図６】本発明の３つのコーンを含むコーンセットの上面図である。
【図７】３つのコーンを組み合わせたコーンセットのそれぞれのコーンのＲ１、Ｒ２及びＲ３の関係を示した図である。
【発明を実施するための形態】
【０００８】
本発明のコーンセットは、中空の切頭角錐の第１コーン、及び第１コーンの内側に重ね合わせることのできる中空の切頭角錐の第２コーンを含むコーンセットである。そして、第１コーンの側面の辺の外面の曲率半径Ｒ１及び第２コーンの側面の辺の外面の曲率半径Ｒ２が、下記式（１）：
Ｒ１＝Ｒ２＋ｍ  （１）
（式中、ｍは第１コーンの壁の厚さである）で表される。
第１コーンの側面の３つの辺の外面の３つの曲率半径Ｒ１は実質的に同一であり、第２コーンの側面の３つの辺の外面の３つの曲率半径Ｒ２は実質的に同一である。
【０００９】
本発明のコーンの形状は切頭角錐の形状である。切頭角錐は角錐から、その上部の一部分を除いた形態である。上部を除く前の角錐は、特に限定されるものではなく、三角錐、四角錐、五角錐、六角錐、七角錐、八角錐、九角錐、又は十角錐などを挙げることができる。すなわち、コーンを形成する角錐の角の数は限定されるものではないが、側面を表示領域として使用する観点からは、側面が比較的広い三角錐又は四角錐が好ましい。
本発明のコーンにおける発明の原理は、角数が異なる角錐においても同じであるので、以下の説明は、三角錐の上部を除いた切頭三角錐をコーンとして用いた場合を、例として説明する。
切頭三角錐は、図１に示すように、三角錐から、その上部の一部分を三角錐状に除いた形態である。除かれる三角錐の形状は限定されるものではないが、元の三角錐の同じ形状を除くことが好ましく、従って一部分が除かれた切頭面（５ａ、５ｂ、５ｃ）は、元の三角錐の底面と平行な面であることが好ましい。この場合、切頭三角錐の側面（６ａ、６ｂ、６ｃ）は、等脚台形の形状となる。また、コーンが均等三角錐の場合、３つの等脚台形の形状は、実質的に同一である。
本発明のコーンは中空であり、従って底面を有さない。底面を有さないことによって、２つ以上のコーンを重ね合わせて輸送、又は保管することができる。但し、最も内側のコーンは他のコーンに重ねることがないため、底面を有していてもよい。
前記三角錐の形状は、特に限定されるものではなく、例えば正三角錐でもよい。正三角錐の切頭三角錐のコーンは、例えばスポーツのマーカーとして用いることができる。また、コーンを工場などの表示具として用いる場合は、例えば、比較的高さを有する切頭三角錐のコーンが好ましい。コーンの側面の台形の部分が広くなるために、製品の分類等を表示しやすいからである。
更に、コーンの三角錐の形状は限定されるものではないが、均等三角錐が好ましい。すなわち切頭面の三角形の形状は限定されるものではないが、図３又は図６に示すように、３つの角度が６０度の正三角形である三角錐が好ましい。均等三角錐であることにより、３つの側面の台形が同じ形で同じ面積となり、表示具として用いる場合、表示が見やすいからである。
なお、コーンの三角錐の形状が均等三角錐ではない場合は、切頭面の三角形の形状が正三角形ではなく、コーンの側面は等脚台形ではないことがある。
【００１０】
本発明の２つのコーンを組み合わせたコーンセットについて、図２〜４を用いて説明する。
本発明のコーンセットにおいては、第１コーンの内側に、第２コーンを重ね合わせることができる。第１コーンの側面の辺の外面の曲率半径Ｒ１及び第２コーンの側面の辺の外面の曲率半径Ｒ２の関係は、下記式（１）：
Ｒ１＝Ｒ２＋ｍ  （１）
で表される。式中ｍは第１コーンの壁の厚さを示す。
図４に示すように、第１コーンの側面の辺の外面の曲率半径Ｒ１は、第２コーンの側面の辺の外面の曲率半径Ｒ２及び第１コーンの壁の厚さｍによって示すことができる。また、第１コーンの辺における内面の曲率半径をＲ１´とすると、Ｒ１´は、実質的にＲ２と同じである。すなわち、第１コーンと第２コーンとは、実質的に隙間が無いように接触しており、従ってＲ１´≒Ｒ２となる。
また、第１コーンと第２コーンとが実質的に隙間なく接触することにより、コーンセットを嵩張らず、そしてコンパクトに輸送又は保管することができる。
【００１１】
曲率半径Ｒとは、曲線上の点（ａ，ｆ（ａ））の近傍の曲線を最もよく近似する円の半径である。曲率半径Ｒは以下のように求めることができる。
ある任意の曲線において、線上の点Ｐ０を基点として、そこから曲線上の任意の点Ｐ（位置ベクトルｒｐで表される）までの距離をｓとする。
このとき、点Ｐの位置は、
ｒＰ＝ｒ（ｓ）
として、変数ｓの関数として表すことができる。（以下、ｒｐ＝ｒとする）このとき、点Ｐで接する方向の単位ベクトル（ｔｐ）は、
【数１】
2019167781.tif 000003
となる。（位置ベクトルの変位分Δｒが十分小さいとき、｜Δｒ｜＝Δｓであるから単位ベクトルである。）
同様にして、
ｒＱ＝ｒ（ｓ＋Δｓ）
と表される点Ｑを考えるとき、点Ｑ上の単位接線ベクトルｔＱは、
ｔＱ＝ｔ（ｓ＋Δｓ）
であり、２つの単位接線ベクトルｔＰ、ｔＱのなす角をΔθとすると
【数２】
2019167781.tif 000004
であり、Δθが十分小さい、すなわちΔｓが十分小さいとき（点Ｐと点Ｑが十分接近しているとき）
Δθ＝sinΔθ＝｜ｔＰ−ｔＱ｜
と見做せる。
ここで、接線傾斜Δθの変動率であるＸは、以下のように定義できる。
【数３】
2019167781.tif 000005
この式において、Ｘが曲率、Ｘの逆数であるＲが曲率半径である。
【００１２】
前記第１コーン及び第２コーンを重ね合わせた場合に、２つの切頭面は同一の面でなくてもよい。すなわち、第１コーンの切頭面が第２コーンの切頭面よりも上部となってもよく、逆に第２コーンの切頭面が第１コーンの切頭面より上部となってもよい。しかしながら、図２及び３に示すように、好ましくは２つの切頭面は略同一面である。同一面であることにより、コーンセットとしてコンパクトにすることができる。
第１コーンの切頭面の３つの辺（１０）の長さは、特に限定されるものではないが、例えば１〜１０ｃｍであり、好ましくは２〜８ｃｍであり、より好ましくは３〜６ｃｍである。第２コーンの切頭面の３つの辺（１０）の長さは、特に限定されるものではないが、例えば１〜１０ｃｍであり、好ましくは２〜８ｃｍであり、より好ましくは３〜６ｃｍである。第１コーン及び第２コーンの切頭面の３つの辺の長さは、均等三角錐の場合は同一であるが、均等三角錐でない場合は異なっていてもよい。
【００１３】
第１コーンの高さ及び第２コーンとの高さは、特に限定されないが、第２コーンの高さが第１コーンの高さよりも高い方が好ましく、例えば第２コーンの高さが第１コーンの高さの略２倍が好ましい。第２コーンの高さが第１コーンの高さよりも高いことによって、コーンセットをコンパクトに収納することができる。
第２コーンの高さは、特に限定されるものではないが、例えば５〜５０ｃｍであり、好ましくは１０〜４０ｃｍであり、より好ましくは２０〜３５ｃｍであり、更に好ましくは２５〜３５ｃｍである。第１コーンの高さは、特に限定されるものではないが、例えば５〜５０ｃｍであり、好ましくは１０〜４０ｃｍであり、より好ましくは１０〜３０ｃｍであり、更に好ましくは１０〜２０ｃｍである。
【００１４】
前記第１コーンの壁の厚さ（ｍ）及び第２コーンの壁の厚さ（ｎ）は、特に限定されない。すなわち、第１コーンの壁の厚さ及び第２コーンの壁の厚さは異なっていてもよい。しかしながら、好ましくは第１コーンの壁の厚さ及び第２コーンの壁の厚さは略同一である。
第１コーンの壁の厚さは、特に限定されないが、例えば０．５〜５ｍｍであり、好ましくは１〜３ｍｍであり、より好ましくは１．５〜２．５ｍｍである。第２コーンの壁の厚さは、特に限定されないが、例えば０．５〜５ｍｍであり、好ましくは１〜３ｍｍであり、より好ましくは１．５〜２．５ｍｍである。
【００１５】
前記第１コーンの底面の辺の長さ（１１ａ）、及び前記第２コーンの底面の辺の長さ（１１ｂ）は同じか、又は第２コーンの底面の辺が長い。第１コーンの底面の辺が、第２コーンの底面の辺より長い場合、第２コーンに第１コーンを隙間なく重ね合わせることが困難になるからである。
第２コーンの底面の辺の長さは、特に限定されないが、例えば５〜２０ｃｍであり、好ましくは７〜１７ｍｍであり、より好ましくは１０〜１５ｃｍである。第１コーンの底面の辺の長さは、特に限定されないが、例えば５〜２０ｃｍであり、好ましくは６〜１５ｍｍであり、より好ましくは７〜１２ｃｍである。
【００１６】
第１コーン及び第２コーンは、図２及び３に記載のように、側面に孔を設けてもよい。孔を有することにより、例えばコーンを紐を用いて吊り下げて表示具として用いることができる。また、孔に指を引っ掛けることによって、本発明のコーンを容易に取り扱うことができる。孔の位置は、その使用の態様によって、適宜決定することができるが、好ましくはコーンの上部である。また、孔の数は限定されるものではなく、例えば孔は３つの側面のすべてに設けてもよいが、１つ又は２つの側面に設けてもよい。
孔の形状は特に限定されるものではなく、円形、三角形、四角形、又は五角形などとすることができる。孔が円の場合、円の直径は特に限定されるものではないが、例えば０．５〜２ｃｍであり、好ましくは１〜１．５ｃｍである。
【００１７】
本発明のコーンセットは、前記第２コーンの内側に重ね合わせることができる中空の切頭角錐の第３コーンを、更に含むことができる。そして、第２コーンの側面の辺の外面の曲率半径Ｒ２及び第３コーンの側面の辺の外面の曲率半径Ｒ３が、下記式（２）：
Ｒ２＝Ｒ３＋ｎ  （２）
（式中、ｎは第２コーンの壁の厚さである）
で表される。
第２コーンの側面の３つの辺の外面の３つの曲率半径Ｒ２は実質的に同一であり、第３コーンの側面の３つの辺の外面の３つの曲率半径Ｒ３は実質的に同一である。
また、前記第３コーンの形状は、前記第１コーン及び第２コーンの形状と同じように、で、切頭角錐の形状である。従って、第１コーン及び第２コーンと同じように、上部を除く前の角錐は、特に限定されるものではなく、三角錐、四角錐、五角錐、六角錐、七角錐、八角錐、九角錐、又は十角錐などを挙げることができるが、三角錐又は四角錐が好ましい。以下の説明も、三角錐の上部を除いた切頭三角錐をコーンとして用いた場合を、例として説明する。
【００１８】
本発明の３つのコーンを組み合わせたコーンセットの実施態様について、図５〜７を用いて説明する。
本発明のコーンセットにおいては、第２コーンの内側に、更に第３コーンを重ね合わせることができる。第２コーンの側面の辺の外面の曲率半径Ｒ２及び第３コーンの側面の３つの辺の外面の曲率半径Ｒ２の関係は、下記式（２）：
Ｒ２＝Ｒ３＋ｎ  （２）
で表される。式中、ｎは第２コーンの壁の厚さを示す。
図７に示すように、第２コーンの側面の辺の外面の曲率半径Ｒ２は、第３コーンの側面の辺の外面の曲率半径Ｒ３及び第２コーンの壁の厚さｎによって示すことができる。また、第２コーンの辺における内面の曲率半径をＲ２´とすると、Ｒ２´は、実質的にＲ３と同じである。すなわち、第２コーンと第３コーンとは、実質的に隙間が無いように接触しており、従ってＲ２´≒Ｒ３となる。
また、第２コーンと第３コーンとが実質的に隙間なく接触することにより、コーンセットを嵩張らず、そしてコンパクトに輸送又は保管することができる。
前記第３コーンの曲率半径Ｒ３は、前記の計算方法により求めることができる。
【００１９】
前記第１コーン、第２コーン及び第３コーンを重ね合わせた場合に、３つの切頭面は同一の面でなくてもよい。すなわち、第１コーン、第２コーン、及び第３コーンのいずれかの切頭面が、一致しなくてもよい。しかしながら、図５に示すように好ましくは３つの切頭面は略同一面である。同一面であることにより、コーンセットとしてコンパクトにすることができる。
第１コーンの切頭面の３つの辺（１０）の長さは、特に限定されるものではないが、例えば１〜１０ｃｍであり、好ましくは２〜８ｃｍであり、より好ましくは３〜６ｃｍである。第２コーンの切頭面の３つの辺（１０）の長さは、特に限定されるものではないが、例えば１〜１０ｃｍであり、好ましくは２〜８ｃｍであり、より好ましくは３〜６ｃｍである。第３コーンの切頭面の３つの辺（１０）の長さは、特に限定されるものではないが、例えば１〜１０ｃｍであり、好ましくは２〜８ｃｍであり、より好ましくは３〜６ｃｍである。
第１コーン、第２コーン、及び第３コーンの切頭面の３つの辺の長さは、均等三角錐の場合は同一であるが、均等三角錐でない場合は異なっていてもよい。
【００２０】
第１コーンの高さ、第２コーンとの高さ及び第３コーンの高さは、特に限定されないが、第２コーンの高さが第１コーンの高さよりも高く、第３コーンの高さが第２コーンの高さより高い方が好ましい。例えば第３コーンの高さが第２コーンの高さの略１．５倍が好ましく、第２コーンの高さが第１コーンの高さの略２倍が好ましい。第３コーンの高さが第２コーンの高さよりも高く、第２コーンの高さが第１コーンの高さよりも高いことによって、コーンセットをコンパクトに収納することができる。
第３コーンの高さは、特に限定されるものではないが、例えば５〜５０ｃｍであり、好ましくは１０〜４０ｃｍであり、より好ましくは２０〜３５ｃｍであり、更に好ましくは２５〜３５ｃｍである。第２コーンの高さは、特に限定されるものではないが、例えば５〜５０ｃｍであり、好ましくは１０〜４０ｃｍであり、より好ましくは１０〜３０ｃｍであり、更に好ましくは１５〜２５ｃｍである。第１コーンの高さは、特に限定されるものではないが、例えば５〜５０ｃｍであり、好ましくは５〜４０ｃｍであり、より好ましくは５〜２０ｃｍであり、更に好ましくは５〜１５ｃｍである。
【００２１】
前記第１コーンの壁の厚さ（ｍ）、第２コーンの壁の厚さ（ｎ）、及び第３コーンの壁の厚さ（ｌ）は、特に限定されない。すなわち、第１コーンの壁の厚さ、第２コーンの壁の厚さ、及び第３コーンの壁の厚さは異なっていてもよい。しかしながら、好ましくは第１コーンの壁の厚さ、第２コーンの壁の厚さ、及び第３コーンの壁の厚さは略同一である。
第１コーンの壁の厚さは、特に限定されないが、例えば０．５〜５ｍｍであり、好ましくは１〜３ｍｍであり、より好ましくは１．５〜２．５ｍｍである。第２コーンの壁の厚さは、特に限定されないが、例えば０．５〜５ｍｍであり、好ましくは１〜３ｍｍであり、より好ましくは１．５〜２．５ｍｍである。第３コーンの壁の厚さは、特に限定されないが、例えば０．５〜５ｍｍであり、好ましくは１〜３ｍｍであり、より好ましくは１．５〜２．５ｍｍである。
【００２２】
前記第１コーンの底面の辺の長さ（１１ａ）、第２コーンの底面の辺の長さ（１１ｂ）、及び第３コーンの底面の辺の長さ（１１ｃ）は同じか、又は第３コーンの底面の辺が、第２コーンの底面の辺の長さ及び第１コーンの底面の辺の長さより長く、第２コーンの底面の辺の長さが第１コーンの底面の辺の長さより長い。
第３コーンの底面の辺の長さは、特に限定されないが、例えば５〜２０ｃｍであり、好ましくは７〜１７ｍｍであり、より好ましくは１０〜１５ｃｍである。第２コーンの底面の辺の長さは、特に限定されないが、例えば５〜２０ｃｍであり、好ましくは６〜１５ｍｍであり、より好ましくは７〜１２ｃｍである。第１コーンの底面の辺の長さは、特に限定されないが、例えば３〜２０ｃｍであり、好ましくは４〜１５ｍｍであり、より好ましくは４〜８ｃｍである。
【００２３】
第１コーン、第２コーン、及び第３コーンは、図５に記載のように、側面に孔を設けてもよい。第３コーンの孔も、前記第１コーン及び第２コーンと同じように設けることができる。
【００２４】
《作用》
従来の段積み可能な三角錐型のコーンは、同じ形態で製造されている（特許文献３）。従って、段積みによって重ね合わせた場合、２つ目のコーンは上方にずれて段積みされ、３つ目のコーンは更に上方にずれて段積みされる。
一方、本発明のコーンセットは、第１コーン及び第２コーンの側面の辺の外面の曲率半径が、第１コーン及び第２コーンの壁の厚さに応じて大きく設計されている。従って、第１コーンと第２コーンとの間の隙間、第２コーンと第３コーンとの間の壁の隙間が無くなり、コンパクトに重ね合わせることができる。更に、切頭三角錐とすることにより、それぞれの接頭面を同一の面とすることが可能であり、これによってもそれぞれのコーンをコンパクトに重ね合わせることが可能である。また、本発明のコーンが切頭三角錐以外の切頭四角錐等の場合、側面の辺が３つから４つ以上に増えるが、それぞれの第１コーンと第２コーンとの辺の外面の曲率半径の関係、第１コーン、第２コーン及び第３コーンの辺の外面の曲率半径の関係は、切頭三角錐の場合と同じであり、頭四角錐等の場合であっても、本発明の効果を得ることができる。
更に、本発明のコーンセットは、外側又は内側に第４のコーン、又は第５のコーンなどをいくつも重ね合わせることができ、同様の効果を得ることが可能である。
【産業上の利用可能性】
【００２５】
本発明のコーンセットのコーンは、工場等において、製品の分類のための表示具として用いることができる。また、スポーツの練習においてマーカーとして用いることができる。
【符号の説明】
【００２６】
１・・・第１コーン；
２・・・第２コーン；
３・・・第３コーン；
４、４ａ、４ｂ、４ｃ・・・コーンの辺；
５、５ａ、５ｂ、５ｃ・・・コーンの切頭面；
６、６ａ、６ｂ、６ｃ・・・コーンの側面；
７、７ａ、７ｂ、７ｃ・・・孔；
８ａ・・・第１コーンの辺の外面；
８ｂ・・・第２コーンの辺の外面；
８ｃ・・・第３コーンの辺の外面；
９ａ・・・第１コーンの辺の内面；
９ｂ・・・第２コーンの辺の内面；
９ｃ・・・第３コーンの辺の内面；
１０・・・切頭面の辺；
１１ａ、１１ｂ、１１ｃ・・・底面の辺。
【図１】
2019167781.tif 000006
【図２】
2019167781.tif 000007
【図３】
2019167781.tif 000008
【図４】
2019167781.tif 000009
【図５】
2019167781.tif 000010
【図６】
2019167781.tif 000011
【図７】
2019167781.tif 000012